(57)【要約】【課題】  光変調素子を効率的に冷却できかつ、画像品質を良好に維持できる光学装置、およびプロジェクタを提供する。【解決手段】光学装置本体４４０は、光変調素子保持体４４０２と、複数の流体循環部材４４８と、流通パイプ５１３，５１４を有する中継タンク５と、冷却流体を強制的に循環させる流体圧送部とを備える。中継タンク５の内部には、気泡蓄積部５１１Ａと、中継タンク５内部を空間Ａ１，Ａ２に区画する仕切板５１１Ｂとが設けられている。仕切板５１１Ｂおよび流通パイプ５１３は、仕切板５１１Ｂにおける鉛直方向上端縁が流通パイプ５１３の導出側開口５１３Ａの鉛直方向上端縁よりも鉛直方向上側に位置し、仕切板５１１Ｂにおける鉛直方向下端縁が導出側開口５１３Ａの鉛直方向下端縁よりも鉛直方向下側に位置するように配置されている。【選択図】 図５
2006330642.tif 000002
【特許請求の範囲】
【請求項１】
光源から射出された光束を画像情報に応じて変調して光学像を形成する光変調素子を含んで構成される光学装置であって、
内部に冷却流体が封入される冷却室が形成され、前記冷却室内の前記冷却流体に対して熱伝達可能に前記光変調素子を保持する光変調素子保持体と、
前記冷却室と連通接続され、前記冷却流体を前記冷却室外部に案内し、再度前記冷却室内部に導く複数の流体循環部材と、
前記複数の流体循環部材における前記冷却流体の流路中に配置され、前記冷却流体を内部に流入させる冷却流体流入部、および前記内部の冷却流体を外部に排出させる冷却流体排出部を有し、前記冷却流体を内部に蓄積する冷却流体蓄積部と、
前記複数の流体循環部材における前記冷却流体の流路中に配置され、前記冷却流体を前記複数の流体循環部材を介して強制的に循環させる流体圧送部とを備え、
前記冷却流体蓄積部の内部には、前記冷却流体に含まれ鉛直方向上側に向けて移動した気泡を蓄積する気泡蓄積部と、鉛直方向に直交する水平軸と交差するように延出し前記冷却流体蓄積部内部を前記冷却流体が前記冷却流体流入部から前記冷却流体排出部に流通可能に前記冷却流体の流入側から排出側にかけて複数の空間に区画する少なくとも１つの仕切板とが設けられ、
前記仕切板および前記冷却流体流入部は、前記仕切板における鉛直方向上端縁が前記冷却流体流入部における前記冷却流体の導出側開口の鉛直方向上端縁よりも鉛直方向上側に位置し、前記仕切板における鉛直方向下端縁が前記導出側開口の鉛直方向下端縁よりも鉛直方向下側に位置するように配置されていることを特徴とする光学装置。
【請求項２】
請求項１に記載の光学装置において、
前記仕切板および前記冷却流体排出部は、前記仕切板における鉛直方向上端縁が前記冷却流体排出部における前記冷却流体の導入側開口の鉛直方向上端縁よりも鉛直方向上側に位置し、前記仕切板における鉛直方向下端縁が前記導入側開口の鉛直方向下端縁よりも鉛直方向下側に位置するように配置されていることを特徴とする光学装置。
【請求項３】
請求項１または請求項２に記載の光学装置において、
前記仕切板は、複数設けられ、
前記複数の仕切板の隣接する各仕切板のうち一方の仕切板は、鉛直方向下端縁が前記冷却流体蓄積部内部に接続し、
前記隣接する各仕切板のうち他方の仕切板は、鉛直方向上端縁が前記冷却流体蓄積部内部に接続していることを特徴とする光学装置。
【請求項４】
請求項１から請求項３のいずれかに記載の光学装置において、
前記仕切板は、鉛直方向上端縁または鉛直方向下端縁のうちいずれか一方が前記冷却流体蓄積部内部に接続し、
前記接続部分には、隣接する前記空間を連通する連通孔が形成されていることを特徴とする光学装置。
【請求項５】
請求項１から請求項４のいずれかに記載の光学装置において、
前記冷却流体流入部および前記冷却流体排出部は、前記冷却流体蓄積部における前記水平軸と交差する互いに対向する端面にそれぞれ配置されていることを特徴とする光学装置。
【請求項６】
請求項１から請求項４のいずれかに記載の光学装置において、
前記冷却流体流入部および前記冷却流体排出部は、前記冷却流体蓄積部における前記水平軸と交差する互いに対向する端面にそれぞれ配置されかつ、鉛直方向と略直交する同一の軸線上にそれぞれ配置され、
前記冷却流体蓄積部は、前記軸線を回転軸として回転可能に構成されていることを特徴とする光学装置。
【請求項７】
請求項１から請求項６のいずれかに記載の光学装置において、
前記光変調素子は、複数で構成され、
前記光変調素子保持体は、前記複数の光変調素子に応じて複数設けられ、
前記複数の光変調素子保持体を取り付ける複数の光束入射側端面を有し、前記複数の光変調素子で変調された各光束を合成する色合成光学装置を備え、
前記冷却流体蓄積部は、蓄積した冷却流体を前記複数の光変調素子保持体の各冷却室に分岐して送出する送出側蓄積部と、前記各冷却室から排出された冷却流体を一括して送入する送入側蓄積部とを備え、
前記送出側蓄積部および前記送入側蓄積部は、前記色合成光学装置の複数の光束入射側端面と交差する各端面にそれぞれ配設されていることを特徴とする光学装置。
【請求項８】
光源装置と、請求項１から請求項７のいずれかに記載の光学装置と、前記光学装置にて形成された光学像を拡大投射する投射光学装置とを備えることを特徴とするプロジェクタ。
【発明の詳細な説明】
【技術分野】
【０００１】
本発明は、光学装置、およびプロジェクタに関する。
【背景技術】
【０００２】
従来、光源から射出された光束を画像情報に応じて変調して光学像を形成する複数の光変調素子と、各光変調素子で変調された光束を合成して射出する色合成光学装置と、色合成光学装置にて合成された光束を拡大投射する投射光学装置とを備えるプロジェクタが知られている。
このうち、光変調素子には、例えば、１対の基板間に液晶等の電気光学材料が密閉封入されたアクティブマトリックス駆動方式の液晶パネルが使用される。具体的には、この光変調素子を構成する１対の基板は、液晶に駆動電圧を印加するためのデータ線、走査線、スイッチング素子、画素電極等が形成され、光束射出側に配置された駆動基板と、光束入射側に配置され、共通電極、ブラックマスク等が形成された対向基板とで構成されている。
ここで、光源から射出された光束が光変調素子に照射された場合には、液晶層による光吸収とともに、駆動基板に形成されたデータ線および走査線や、対向基板に形成されたブラックマスク等による光吸収により、光変調素子の温度が上昇しやすい。
【０００３】
このため、光学装置では、光変調素子の温度上昇を緩和するために、冷却流体を用いて光変調素子を冷却する構成が提案されている（例えば、特許文献１参照）。
特許文献１に記載の光学装置では、光変調素子保持体に冷却流体を密閉する冷却室を形成している。そして、この冷却室は、光変調素子に隣接し、光変調素子の光束透過面に対向して設けられているため、光変調素子の熱を冷却室内の冷却流体により冷却することができる。
また、光変調素子保持体の内部には、冷却室と連通する気泡溜め用サライが設けられている。そして、この気泡溜め用サライに冷却流体内に含まれる気泡やゴミ等が集められ、冷却流体を対流させることによる光路への気泡やゴミ等の侵入を防止し、光路中への気泡等の侵入による画像品質の劣化を防止している。
【０００４】
【特許文献１】特開２００３−１９５２５４号公報
【発明の開示】
【発明が解決しようとする課題】
【０００５】
しかしながら、特許文献１に記載の光学装置では、冷却室内に冷却流体が密閉封入されているので、発熱した光変調素子により冷却流体が温められやすく、温められた冷却流体が冷却室内に滞留してしまう。このため、光変調素子と冷却流体との温度差が小さくなり、光変調素子を効率的に冷却することが難しい、という問題がある。
また、気泡溜め用サライは、冷却室と連通するように光変調素子保持体内部に設けられているため、その配置位置が光変調素子の画像形成領域に近い位置となり、集められた気泡等が光路中に侵入してしまう虞がある。このため、画像品質を良好に維持することが難しい、という問題がある。
【０００６】
本発明の目的は、光変調素子を効率的に冷却できかつ、画像品質を良好に維持できる光学装置、およびプロジェクタを提供することにある。
【課題を解決するための手段】
【０００７】
本発明の光学装置は、光源から射出された光束を画像情報に応じて変調して光学像を形成する光変調素子を含んで構成される光学装置であって、内部に冷却流体が封入される冷却室が形成され、前記冷却室内の前記冷却流体に対して熱伝達可能に前記光変調素子を保持する光変調素子保持体と、前記冷却室と連通接続され、前記冷却流体を前記冷却室外部に案内し、再度前記冷却室内部に導く複数の流体循環部材と、前記複数の流体循環部材における前記冷却流体の流路中に配置され、前記冷却流体を内部に流入させる冷却流体流入部、および前記内部の冷却流体を外部に排出させる冷却流体排出部を有し、前記冷却流体を内部に蓄積する冷却流体蓄積部と、前記複数の流体循環部材における前記冷却流体の流路中に配置され、前記冷却流体を前記複数の流体循環部材を介して強制的に循環させる流体圧送部とを備え、前記冷却流体蓄積部の内部には、前記冷却流体に含まれ鉛直方向上側に向けて移動した気泡を蓄積する気泡蓄積部と、鉛直方向に直交する水平軸と交差するように延出し前記冷却流体蓄積部内部を前記冷却流体が前記冷却流体流入部から前記冷却流体排出部に流通可能に前記冷却流体の流入側から排出側にかけて複数の空間に区画する少なくとも１つの仕切板とが設けられ、前記仕切板および前記冷却流体流入部は、前記仕切板における鉛直方向上端縁が前記冷却流体流入部における前記冷却流体の導出側開口の鉛直方向上端縁よりも鉛直方向上側に位置し、前記仕切板における鉛直方向下端縁が前記導出側開口の鉛直方向下端縁よりも鉛直方向下側に位置するように配置されていることを特徴とする。
【０００８】
ここで、仕切板としては、鉛直方向上端縁が冷却流体流入部の導出側開口の鉛直方向上端縁よりも鉛直方向上側に位置しかつ、鉛直方向下端縁が冷却流体流入部の導出側開口の鉛直方向下端縁よりも鉛直方向下側に位置していれば、いずれの形状でもよく、例えば、以下の構成を採用できる。
例えば、仕切板において、鉛直方向上端縁および下端縁と交差する両端縁のみが冷却流体蓄積部内部に接続する。そして、仕切板における鉛直方向上端縁および下端縁の双方の端縁と冷却流体蓄積部内部との間に隙間が形成され、該隙間を介して冷却流体が冷却流体流入部から冷却流体排出部に流通する。
また、仕切板において、鉛直方向上端縁が冷却流体蓄積部内部に接続する。そして、仕切板における鉛直方向下端縁と冷却流体蓄積部内部との間に隙間が形成され、該隙間を介して冷却流体が冷却流体流入部から冷却流体排出部に流通する。
さらに、仕切板において、鉛直方向下端縁が冷却流体蓄積部内部に接続する。そして、仕切板における鉛直方向上端縁と冷却流体蓄積部内部との間に隙間が形成され、該隙間を介して冷却流体が冷却流体流入部から冷却流体排出部に流通する。
【０００９】
本発明によれば、光学装置が流体圧送部を備え、流体圧送部により冷却流体が強制的に循環されるので、冷却流体は、光変調素子保持体の冷却室内外に常に対流することとなる。このため、従来のように冷却室内に冷却流体を密封させておく場合と比較して、冷却流体が温められにくく、冷却流体と光変調素子との温度差を良好に維持して光変調素子を効率的に冷却できる。
また、仕切板および冷却流体流入部を上述したように配置することで、冷却流体蓄積部内部において、冷却流体流入部から冷却流体排出部に向かう冷却流体の流路を、仕切板を介して仕切板の鉛直方向上側および／または鉛直方向下側に向かう流路に変更することができる。ここで、冷却流体に含まれる気泡等は、浮力により鉛直方向上側に移動する。このため、仕切板による冷却流体の流路の変更に伴って、気泡等を仕切板の鉛直方向上側に移動させることが可能となり、気泡等が冷却流体排出部に取り込まれにくい構造を実現でき、気泡等を気泡蓄積部に良好に蓄積させることができる。したがって、冷却流体蓄積部内部にて冷却流体に含まれる気泡等を捕捉でき、光変調素子保持体の冷却室内の光路中に気泡等が侵入してしまうのを防止し、光変調素子にて形成される光学像の画像品質を良好に維持できる。
さらに、上述したように仕切板の鉛直方向上端縁および下端縁と交差する両端縁のみが冷却流体蓄積部内部に接続するように構成すれば、光学装置を所定の姿勢で設置した場合、および光学装置を所定の姿勢に対して上下が逆となる姿勢（以下、天地逆姿勢と記載する）で設置した場合の双方において、仕切板の鉛直方向上端縁と冷却流体蓄積部内部との間に隙間が形成される構成を実現できる。このため、光学装置を所定の姿勢で設置した場合、および天地逆姿勢で設置した場合の双方において、気泡等が冷却流体排出部に取り込まれにくい構造を実現できる。
【００１０】
本発明の光学装置では、前記仕切板および前記冷却流体排出部は、前記仕切板における鉛直方向上端縁が前記冷却流体排出部における前記冷却流体の導入側開口の鉛直方向上端縁よりも鉛直方向上側に位置し、前記仕切板における鉛直方向下端縁が前記導入側開口の鉛直方向下端縁よりも鉛直方向下側に位置するように配置されていることが好ましい。
ところで、仕切板の鉛直方向上端縁が冷却流体排出部の導入側開口の鉛直方向上端縁よりも鉛直方向下側に位置している場合には、冷却流体蓄積部内部において、仕切板により冷却流体の流路を変更した場合であっても、冷却流体に含まれる気泡等が冷却流体排出部に取り込まれる虞がある。
また、光学装置を所定の姿勢状態で設置した際に仕切板の鉛直方向下端縁が冷却流体排出部の鉛直方向下端縁よりも鉛直方向上側に位置している場合には、光学装置を天地逆姿勢で設置すると、仕切板の鉛直方向上端縁が冷却流体排出部の導入側開口の鉛直方向上端縁よりも鉛直方向下側に位置することとなる。このため、光学装置を天地逆姿勢で設置した際には、上記同様に、冷却流体に含まれる気泡等が冷却流体排出部に取り込まれる虞がある。
本発明によれば、仕切板における鉛直方向上端縁が冷却流体排出部の導入側開口の鉛直方向上端縁よりも鉛直方向上側に位置しているので、冷却流体に含まれる気泡等が冷却流体排出部に取り込まれることをより確実に防止できる。
また、仕切板における鉛直方向下端縁が冷却流体排出部の導入側開口の鉛直方向下端縁よりも鉛直方向下側に位置しているので、光学装置を天地逆姿勢で設置した際でも、仕切板における鉛直方向上端縁が冷却流体排出部の導入側開口の鉛直方向上端縁よりも鉛直方向上側に位置させることができる。このため、光学装置を天地逆姿勢で設置した場合でも、冷却流体に含まれる気泡等が冷却流体排出部に取り込まれることをより確実に防止できる。
【００１１】
本発明の光学装置では、前記仕切板は、複数設けられ、前記複数の仕切板の隣接する各仕切板のうち一方の仕切板は、鉛直方向下端縁が前記冷却流体蓄積部内部に接続し、前記隣接する各仕切板のうち他方の仕切板は、鉛直方向上端縁が前記冷却流体蓄積部内部に接続していることが好ましい。
本発明によれば、複数の仕切板の隣接する各仕切板を上述したように構成することで、冷却流体蓄積部内部において、冷却流体流入部から冷却流体排出部に向かう冷却流体の流路を複数の仕切板により鉛直方向に蛇行した流路に変更することができる。このような鉛直方向に蛇行した流路で冷却流体を流通させることで、冷却流体に含まれる気泡等を流路中で鉛直方向上側により確実に移動させることができる。このため、気泡等が冷却流体排出部に取り込まれることをより確実に防止できる。
【００１２】
本発明の光学装置では、前記仕切板は、鉛直方向上端縁または鉛直方向下端縁のうちいずれか一方が前記冷却流体蓄積部内部に接続し、前記接続部分には、隣接する前記空間を連通する連通孔が形成されていることが好ましい。
ところで、光学装置を所定の姿勢状態で設置した際に仕切板の鉛直方向下端縁が冷却流体蓄積部内部に接続している場合には、光学装置を天地逆姿勢で設置すると、仕切板の鉛直方向上端縁が冷却流体蓄積部内部に接続していることとなる。このように仕切板の鉛直方向上端縁が冷却流体蓄積部内部に接続している場合には、冷却流体蓄積部内部の鉛直方向上側に形成される気泡蓄積部が仕切板により各領域に区画されることとなる。このため、気泡蓄積部の区画された各領域のうち冷却流体流入部側の領域にのみ気泡等が蓄積されてしまう。すなわち、気泡蓄積部における気泡等を蓄積可能とする空間の体積が縮小されてしまうため、気泡等が蓄積され続けた場合に、仕切板の鉛直方向下端縁から他方の領域に気泡等が流出し、該流出した際に気泡等が冷却流体排出部に取り込まれる虞がある。
本発明によれば、仕切板の鉛直方向上端縁または下端縁と冷却流体蓄積部内部との接続部分には連通孔が形成されているので、連通孔を介して気泡蓄積部の前記各領域間を蓄積された気泡等が連通可能となり、気泡蓄積部における気泡等を蓄積可能とする空間の体積を縮小することがない。したがって、気泡蓄積部にて気泡等を良好に蓄積させることができる。
【００１３】
本発明の光学装置では、前記冷却流体流入部および前記冷却流体排出部は、前記冷却流体蓄積部における前記水平軸と交差する互いに対向する端面にそれぞれ配置されていることが好ましい。
本発明によれば、冷却流体流入部および冷却流体排出部を上述したように配置することで、仕切板を簡単な形状で構成でき、仕切板により冷却流体蓄積部内部を冷却流体の流入側から排出側にかけて複数の空間に良好に区画できる。
【００１４】
本発明の光学装置では、前記冷却流体流入部および前記冷却流体排出部は、前記冷却流体蓄積部における前記水平軸と交差する互いに対向する端面にそれぞれ配置されかつ、鉛直方向と略直交する同一の軸線上にそれぞれ配置され、前記冷却流体蓄積部は、前記軸線を回転軸として回転可能に構成されていることが好ましい。
ところで、冷却流体蓄積部が光学装置の所定位置に固定されている場合には、気泡蓄積部は、冷却流体蓄積部内部の鉛直方向上側に常に形成されることとなるため、光学装置を所定の姿勢で設置した状態と天地逆姿勢で設置した状態とで気泡蓄積部の位置が異なることとなる。このため、光学装置を所定の姿勢で設置した状態から天地逆姿勢で設置した状態に移行すると、気泡蓄積部の位置が移動し、気泡蓄積部の位置の移動とともに蓄積された気泡等も移動することとなる。このように光学装置の姿勢状態を変更した場合には、気泡等の移動の際に該気泡等が冷却流体排出部に取り込まれてしまう虞がある。
本発明によれば、冷却流体蓄積部は、鉛直方向と略直交する軸線を回転軸として回転可能に構成されているので、光学装置を所定の姿勢で設置した状態と天地逆姿勢で設置した状態とを移行させた場合であっても、該移行に連動して冷却流体蓄積部が回転することで、冷却流体蓄積部内部において、気泡蓄積部の位置は移動しない。このため、光学装置を所定の姿勢で設置した状態から天地逆姿勢で設置した状態に移行しても、気泡蓄積部の位置が移動しないため、気泡等が常に同一の気泡蓄積部に蓄積された状態となる。したがって、光学装置を所定の姿勢で設置した状態と天地逆姿勢で設置した状態とを移行させた際でも、気泡等が移動することがなく該気泡等が冷却流体排出部に取り込まれることがない。
【００１５】
本発明の光学装置では、前記光変調素子は、複数で構成され、前記光変調素子保持体は、前記複数の光変調素子に応じて複数設けられ、前記複数の光変調素子保持体を取り付ける複数の光束入射側端面を有し、前記複数の光変調素子で変調された各光束を合成する色合成光学装置を備え、前記冷却流体蓄積部は、蓄積した冷却流体を前記複数の光変調素子保持体の各冷却室に分岐して送出する送出側蓄積部と、前記各冷却室から排出された冷却流体を一括して送入する送入側蓄積部とを備え、前記送出側蓄積部および前記送入側蓄積部は、前記色合成光学装置の複数の光束入射側端面と交差する各端面にそれぞれ配設されていることが好ましい。
本発明によれば、送出側蓄積部および送入側蓄積部が色合成光学装置の複数の光束入射側端面と交差する各端面にそれぞれ配設されているので、光学装置における余スペースに冷却流体蓄積部を配設でき、光学装置の大型化を抑制できる。
また、送出側蓄積部および送入側蓄積部を上述したように配設することで、冷却室内部において、冷却流体を鉛直方向下側から鉛直方向上側に流通させることが可能となる。このため、冷却室内部において、光変調素子から冷却流体に放熱された熱の移動方向と、冷却流体の流通方向とを同一に設定でき、熱が冷却室内部において滞留することを防止できる。したがって、冷却流体と光変調素子の温度差を良好に維持でき、光変調素子を効率的に冷却できる。
さらに、各光変調素子の発熱量が異なる場合には、各光変調素子保持体に形成された各冷却室から排出された温度の異なる冷却流体は、一括して送入側蓄積部に導入されることで、温度が均一化される。また、送出側蓄積部に蓄積された冷却流体は、分岐されて各光変調素子保持体に形成された各冷却室に導入されるので、各光変調素子を均一に冷却できる。
【００１６】
本発明のプロジェクタは、光源装置と、上述した光学装置と、前記光学装置にて形成された光学像を拡大投射する投射光学装置とを備えることを特徴とする。
本発明によれば、プロジェクタは、上述した光学装置を備えているので、上述した光学装置と同様の作用・効果を享受できる。
また、光変調素子を効率的に冷却できるため、プロジェクタの高寿命化が図れる。
さらに、光変調素子にて形成された光学像の画像品質を良好に維持できるため、プロジェクタにて鮮明な投影画像を常に形成できる。
【発明を実施するための最良の形態】
【００１７】
[第１実施形態]
以下、本発明の第１実施形態を図面に基づいて説明する。
〔プロジェクタの構成〕
図１は、プロジェクタ１の概略構成を模式的に示す図である。
プロジェクタ１は、光源から射出される光束を画像情報に応じて変調して光学像を形成し、形成した光学像をスクリーン上に拡大投射するものである。このプロジェクタ１は、外装ケース２と、冷却ユニット３と、光学ユニット４と、投射レンズＬとを備える。
なお、図１において、図示は省略するが、外装ケース２内において、冷却ユニット３、光学ユニット４、および投射レンズＬ以外の空間には、電源ブロック、ランプ駆動回路、制御装置等が配置されるものとする。
【００１８】
外装ケース２は、合成樹脂等から構成され、冷却ユニット３、光学ユニット４、投射レンズＬを内部に収納配置する全体略直方体状に形成されている。図示は省略するが、この外装ケース２には、冷却ユニット３によりプロジェクタ１外部から冷却空気を内部に導入するための吸気口およびプロジェクタ１内部で温められた空気を排出するための排気口が形成されている。
さらに、この外装ケース２には、図１に示すように、投射レンズＬの側方で外装ケース２の角部分に位置し、光学ユニット４の後述する光学装置のラジエータを他の部材と隔離する隔壁２１が形成されている。
【００１９】
冷却ユニット３は、プロジェクタ１内部に形成される冷却流路に冷却空気を送り込み、プロジェクタ１内で発生する熱を冷却する。この冷却ユニット３は、投射レンズＬの側方に位置し、外装ケース２に形成された図示しない吸気口からプロジェクタ１外部の冷却空気を内部に導入するシロッコファン３１と、外装ケース２に形成された隔壁２１内部に位置し、外装ケース２に形成された吸気口からプロジェクタ１外部の冷却空気を内部に導入して光学ユニット４の後述するラジエータに冷却空気を吹き付ける軸流ファン３２とを備える。
なお、この冷却ユニット３は、図示は省略するが、シロッコファン３１および軸流ファン３２の他、光学ユニット４の後述する光源装置、および図示しない電源ブロック、ランプ駆動回路等を冷却するための冷却ファンも有しているものとする。
【００２０】
光学ユニット４は、光源から射出された光束を、光学的に処理して画像情報に対応して光学像（カラー画像）を形成するユニットである。この光学ユニット４は、図１に示すように、外装ケース２の背面に沿って延出するとともに、外装ケース２の側面に沿って延出する平面視略Ｌ字形状を有している。なお、この光学ユニット４の詳細な構成については、後述する。
投射レンズＬは、複数のレンズが組み合わされた組レンズとして構成される。そして、この投射レンズＬは、光学ユニット４にて形成された光学像（カラー画像）を図示しないスクリーン上に拡大投射する。
【００２１】
〔光学ユニットの詳細な構成〕
光学ユニット４は、図１に示すように、インテグレータ照明光学系４１と、色分離光学系４２と、リレー光学系４３と、光学装置４４と、これら光学部品４１〜４４を収納配置する光学部品用筐体４５とを備える。
インテグレータ照明光学系４１は、光学装置４４を構成する後述する液晶パネルの画像形成領域を略均一に照明するための光学系である。このインテグレータ照明光学系４１は、図１に示すように、光源装置４１１と、第１レンズアレイ４１２と、第２レンズアレイ４１３と、偏光変換素子４１４と、重畳レンズ４１５とを備える。
【００２２】
光源装置４１１は、放射状の光線を射出する光源ランプ４１６と、この光源ランプ４１６から射出された放射光を反射するリフレクタ４１７とを備える。光源ランプ４１６としては、ハロゲンランプやメタルハライドランプ、高圧水銀ランプが多用される。また、リフレクタ４１７としては、図１では、放物面鏡を採用しているが、これに限らず、楕円面鏡で構成し、光束射出側に該楕円面鏡により反射された光束を平行光とする平行化凹レンズを採用した構成としてもよい。
第１レンズアレイ４１２は、光軸方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネル上に結像させる機能を有している。
【００２３】
偏光変換素子４１４は、第２レンズアレイ４１３と重畳レンズ４１５との間に配置され、第２レンズアレイ４１３からの光を略１種類の偏光光に変換するものである。
具体的に、偏光変換素子４１４によって略１種類の偏光光に変換された各部分光は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の偏光光に変換し、光学装置４４での光の利用効率を高めている。
【００２４】
色分離光学系４２は、図１に示すように、２枚のダイクロイックミラー４２１，４２２と、反射ミラー４２３とを備え、ダイクロイックミラー４２１，４２２によりインテグレータ照明光学系４１から射出された複数の部分光束を、赤、緑、青の３色の色光に分離する機能を有している。
リレー光学系４３は、図１に示すように、入射側レンズ４３１と、リレーレンズ４３３と、反射ミラー４３２，４３４とを備え、色分離光学系４２で分離された赤色光を光学装置４４の後述する赤色光用の液晶パネルまで導く機能を有している。
【００２５】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って光学装置４４の後述する青色光用の液晶パネルに達する。このフィールドレンズ４１８は、第２レンズアレイ４１３から射出された各部分光束をその中心軸（主光線）に対して平行な光束に変換する。他の緑色光用、赤色光用の液晶パネルの光入射側に設けられたフィールドレンズ４１８も同様である。
【００２６】
ダイクロイックミラー４２１を透過した赤色光と緑色光のうちで、緑色光はダイクロイックミラー４２２によって反射し、フィールドレンズ４１８を通って光学装置４４の後述する緑色光用の液晶パネルに達する。一方、赤色光はダイクロイックミラー４２２を透過してリレー光学系４３を通り、さらにフィールドレンズ４１８を通って光学装置４４の後述する赤色光用の液晶パネルに達する。なお、赤色光にリレー光学系４３が用いられているのは、赤色光の光路の長さが他の色光の光路の長さよりも長いため、光の発散等による光の利用効率の低下を防止するためである。すなわち、入射側レンズ４３１に入射した部分光束をそのまま、フィールドレンズ４１８に伝えるためである。本実施形態においては赤色光の光路の長さが長いのでこのような構成とされているが青色光の光路の長さを長くする構成も考えられる。
【００２７】
光学装置４４は、図１に示すように、光変調素子としての３枚の液晶パネル４４１（赤色光用の液晶パネルを４４１Ｒ、緑色光用の液晶パネルを４４１Ｇ、青色光用の液晶パネルを４４１Ｂとする）と、この液晶パネル４４１の光束入射側および光束射出側に配置される入射側偏光板４４２および射出側偏光板４４３と、色合成光学装置としてのクロスダイクロイックプリズム４４４とが一体的に形成されたものである。
なお、光学装置４４は、具体的な構成は後述するが、液晶パネル４４１、入射側偏光板４４２、射出側偏光板４４３、およびクロスダイクロイックプリズム４４４以外に、メインタンク、流体圧送部、ラジエータ、流体循環部材、冷却流体蓄積部、および光変調素子保持体を備える。
【００２８】
液晶パネル４４１は、ガラス等からなる１対の基板４４１Ｃ，４４１Ｄ（図３、図４参照）に電気光学物質である液晶が密閉封入された構成を有している。このうち、基板４４１Ｃは、液晶を駆動するための駆動基板であり、互いに平行に配列形成される複数のデータ線と、複数のデータ線と直交する方向に配列形成される複数の走査線と、走査線およびデータ線の交差に対応してマトリクス状に配列形成される画素電極と、ＴＦＴ等のスイッチング素子とを有している。また、基板４４１Ｄは、基板４４１Ｃに対して所定間隔を空けて対向配置される対向基板であり、所定の電圧が印加される共通電極を有している。そして、これら基板４４１Ｃ，４４１Ｄには、図示しない制御装置と電気的に接続し、前記走査線、前記データ線、前記スイッチング素子、および前記共通電極等に所定の駆動信号を出力するフレキシブルプリント基板４４１Ｅ（図３、図４参照）が接続されている。このフレキシブルプリント基板４４１Ｅを介して前記制御装置から駆動信号を入力することで、所定の前記画素電極と前記共通電極との間に電圧が印加され、該画素電極および共通電極間に介在する液晶の配向状態が制御されて、入射側偏光板４４２から射出された偏光光束の偏光方向が変調される。
【００２９】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、サファイアガラスまたは水晶等の透光性基板４４２Ａ（図３参照）上に偏光膜（図示略）が貼付された構成を有している。
射出側偏光板４４３は、入射側偏光板４４２と同様に透光性基板４４３Ａおよび光学変換膜としての偏光膜４４３Ｂ（図３参照）を有し、液晶パネル４４１から射出された光束のうち、入射側偏光板４４２における光束の透過軸と直交する偏光軸を有する光束のみ透過させ、その他の光束を吸収するものである。
【００３０】
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視略正方形状をなし、直角プリズム同士を貼り合わせた界面には、２つの誘電体多層膜が形成されている。これら誘電体多層膜は、液晶パネル４４１Ｒ，４４１Ｂから射出され射出側偏光板４４３を介した色光を反射し、液晶パネル４４１Ｇから射出され射出側偏光板４４３を介した色光を透過する。このようにして、各液晶パネル４４１Ｒ，４４１Ｇ，４４１Ｂにて変調された各色光が合成されてカラー画像が形成される。
【００３１】
〔光学装置の構成〕
図２は、光学装置本体４４０の概略構成を示す斜視図である。
光学装置４４は、図１または図２に示すように、液晶パネル４４１、入射側偏光板４４２、射出側偏光板４４３、およびクロスダイクロイックプリズム４４４が一体化された光学装置本体４４０と、メインタンク４４５（図１）と、流体圧送部（図示略）と、ラジエータ４４７（図１）と、複数の流体循環部材４４８（図２）とを備える。光学装置本体４４０は、図２に示すように、３つの液晶パネル４４１、３つの入射側偏光板４４２、３つの射出側偏光板４４３、およびクロスダイクロイックプリズム４４４と、３つの光変調素子保持体４４０２と、複数の流体循環部材４４８と、冷却流体蓄積部としての一対の中継タンク５とを基本構成として備える。
本実施形態の光学装置４４は、メインタンク４４５内の冷却流体を、流体圧送部により送出し、複数の流体循環部材４４８および中継タンク５を介して、液晶パネル４４１等に送り、液晶パネル４４１等を冷却する構造となっている。
【００３２】
複数の流体循環部材４４８は、内部に冷却流体が対流可能にアルミニウム製の管状部材で構成され、冷却流体を循環可能に光学装置本体４４０、メインタンク４４５、流体圧送部、中継タンク５、およびラジエータ４４７を接続する。
なお、本実施形態では、冷却流体として、透明性の非揮発性液体であるエチレングリコールを採用する。冷却流体としては、エチレングリコールに限らず、その他の液体を採用してもよい。
ラジエータ４４７は、外装ケース２に形成された隔壁２１内に配置され、光学装置本体４４０において各液晶パネル４４１等にて温められた冷却流体の熱を放熱する。
【００３３】
メインタンク４４５は、略円柱形状であり、図示しないが、アルミニウム製の２つの容器状部材から構成され、２つの容器状部材の開口部分を互いに接続することで内部に冷却流体を一時的に蓄積する。このメインタンク４４５には、冷却流体を内部に流入させる冷却流体流入部（図示略）および内部の冷却流体を外部に排出させる冷却流体排出部（図示略）が形成されており、それぞれに流体循環部材４４８が接続されている。
このメインタンク４４５は、図１に示すように、光学部品用筐体４５と外装ケース２の内側面とで形成される平面視三角形状の領域に配置される。この領域にメインタンク４４５を配置することで、外装ケース２内の収納効率の向上が図れ、プロジェクタ１が大型化することがない。
【００３４】
流体圧送部は、メインタンク４４５、および中継タンク５（後述する中継タンク５２）の流路間に配設され、流体循環部材４４８を介してメインタンク４４５および中継タンク５２を接続し、前記制御装置による制御の下、メインタンク４４５内の冷却流体を複数の流体循環部材４４８を介して中継タンク５２に送入し、冷却流体を強制的に循環させるものである。この流体圧送部としては、例えば、略直方体状のアルミニウム製の中空部材内に羽根車が配置され、前記制御装置による制御の下、前記羽根車が回転することで、冷却流体を強制的に循環させる構成を採用できる。このような構成では、流体圧送部は、羽根車の回転軸方向の厚み寸法が小さくなり、プロジェクタ１内部の空きスペースに配置可能となる。
【００３５】
〔光変調素子保持体の構造〕
図３は、光変調素子保持体４４０２の概略構成を示す分解斜視図である。
図４は、光変調素子保持体４４０２の断面図である。なお、図４中の矢印は、冷却流体の循環方向を示すものである。
３つの光変調素子保持体４４０２は、３つの液晶パネル４４１、３つの入射側偏光板４４２、および３つの射出側偏光板４４３をそれぞれ保持する。また、この光変調素子保持体４４０２内部には、冷却流体が流入し、該冷却流体により３つの液晶パネル４４１、３つの入射側偏光板４４２、および３つの射出側偏光板４４３がそれぞれ冷却される。
【００３６】
光変調素子保持体４４０２は、一対の枠状部材４４０５，４４０６と、４つの弾性部材４４０７（４４０７Ａ〜４４０７Ｄ）と、一対の偏光板固定部材４４０８Ａ，４４０８Ｂと、中間枠体４４０９とを備える。
【００３７】
偏光板固定部材４４０８Ａ，４４０８Ｂは、入射側偏光板４４２および射出側偏光板４４３を、第１弾性部材４４０７Ａおよび第４弾性部材４４０７Ｄを介して枠状部材４４０５，４４０６にそれぞれ押圧固定するものである。これら偏光板固定部材４４０８Ａ，４４０８Ｂは、略中央部分に開口部４４０８Ａ１，４４０８Ｂ１が形成された平面視略矩形枠体で構成され、開口部４４０８Ａ１，４４０８Ｂ１周縁部分にて、入射側偏光板４４２および射出側偏光板４４３を枠状部材４４０５，４４０６に対してそれぞれ押圧する。また、これら偏光板固定部材４４０８Ａ，４４０８Ｂには、左右側端縁にそれぞれフック係合部４４０８Ａ２，４４０８Ｂ２が形成され、フック係合部４４０８Ａ２，４４０８Ｂ２を枠状部材４４０５，４４０６の各フック４４０５Ｈ，４４０６Ｌに係合させることで、枠状部材４４０５，４４０６に対して、入射側偏光板４４２および射出側偏光板４４３を押圧した状態で、偏光板固定部材４４０８Ａ，４４０８Ｂが固定される。
【００３８】
弾性部材４４０７は、入射側偏光板４４２および枠状部材４４０５の間に介在配置される第１弾性部材４４０７Ａと、枠状部材４４０５および中間枠体４４０９の間に介在配置される第２弾性部材４４０７Ｂと、液晶パネル４４１および枠状部材４４０６の間に介在配置される第３弾性部材４４０７Ｃと、枠状部材４４０６および射出側偏光板４４３の間に介在配置される第４弾性部材４４０７Ｄとを備える。
このうち、第１弾性部材４４０７Ａ、および第４弾性部材４４０７Ｄは、略矩形枠状に形成され、後述する枠状部材４４０５，４４０６の各凹部４４０５Ｅ，４４０６Ｂに設置される。
また、第２弾性部材４４０７Ｂは、略矩形枠状に形成されるとともに、上方側左右方向略中央部分に挿通孔４４０７Ｂ１が形成される。この第２弾性部材４４０７Ｂは、後述する枠状部材４４０５の凹部４４０５Ｂに設置される。
さらに、第３弾性部材４４０７Ｃは、略矩形枠状に形成されるとともに、下方側左右方向略中央部分に挿通孔４４０７Ｃ１が形成されている。この第３弾性部材４４０７Ｃは、後述する枠状部材４４０６の凹部４４０６Ｆに設置される。
【００３９】
これら弾性部材４４０７としては、弾性を有するシリコンゴムを採用でき、さらに、両面あるいは片面に表層の架橋密度を上げる表面処理を施したものが好ましい。このように、端面に表面処理を施すことにより、弾性部材４４０７を各凹部４４０５Ｂ，４４０５Ｅ，４４０６Ｂ，４４０６Ｇに設置する作業を容易に実施できる。
なお、弾性部材４４０７は、シリコンゴムに限らず、水分透過量の少ないブチルゴムまたはフッ素ゴムを使用してもよい。
【００４０】
枠状部材４４０５は、液晶パネル４４１の光束入射側と、入射側偏光板４４２の光束射出側との間に配置され、液晶パネル４４１の光束入射側を支持するとともに入射側偏光板４４２の光束射出側を支持する。
この枠状部材４４０５は、略中央部分に液晶パネル４４１の画像形成領域に対応した矩形状の開口部４４０５Ａを有する平面視略矩形状のアルミニウム製の枠体である。
この枠状部材４４０５の光束射出側端面には、図３または図４に示すように、第２弾性部材４４０７Ｂが嵌め込まれる凹部４４０５Ｂが形成されている。
この凹部４４０５Ｂに第２弾性部材４４０７Ｂを嵌めこみ、中間枠体４４０９に保持された液晶パネル４４１を開口部４４０５Ａに対向させることで、開口部４４０５Ａの光束射出側が閉塞される。
図４に示すように、この枠状部材４４０５の下方側左右方向略中央部分には、光束射出側端面および光束入射側端面を貫通する孔４４０５Ｊが形成されている。さらには、枠状部材４４０５には、この孔４４０５Ｊと連通し、光束射出側に向かって突出した筒状部４４０５Ｃが形成されている。
また、枠状部材４４０５の下部には、下方に突出した筒状部４４０５Ｉが形成されている。この筒状部４４０５Ｉは、流体循環部材４４８と接続されるものである。
筒状部４４０５Ｃは、この筒状部４４０５Ｉに対して略直交するように配置され、連通接続している。そして、この筒状部４４０５Ｃの内側面の一部は、前記筒状部４４０５Ｉの中心軸と交差するように延出し、該内側面の一部には前記筒状部４４０５Ｉを介して流入した冷却流体を、枠状部材４４０５の光束入射側および光束射出側に分流する突出部４４０５Ｃ２が形成されている。
【００４１】
また、凹部４４０５Ｂにおける上方側の左右方向略中央部分には、光束射出側端面および光束入射側端面を貫通し、枠状部材４４０６の後述する筒状部４４０６Ｄを挿通可能とする挿通孔４４０５Ｄが形成されている。
さらに、枠状部材４４０５の光束入射側端面には、第１弾性部材４４０７Ａに対応した凹部４４０５Ｅが形成されている。この凹部４４０５Ｅに第１弾性部材４４０７Ａを嵌め込み、入射側偏光板４４２を第１弾性部材４４０７Ａに当接させて、枠状部材４４０５と偏光板固定部材４４０８Ａとで挟持することで、入射側偏光板４４２が保持されることとなる。
また、枠状部材４４０５の光束入射側端面には、凹部４４０５Ｅよりも深い凹部４４０５Ｆが形成されている。
【００４２】
以上のような構成の枠状部材４４０５では、凹部４４０５Ｂにて第２弾性部材４４０７Ｂおよび中間枠体４４０９を介して液晶パネル４４１の光束入射側端面を支持することで、開口部４４０５Ａの光束射出側が閉塞される。また、枠状部材４４０５に対して偏光板固定部材４４０８Ａを固定することで、入射側偏光板４４２が第１弾性部材４４０７Ａを介して枠状部材４４０５に押圧され、枠状部材４４０５の開口部４４０５Ａの光束入射側が封止される。そして、枠状部材４４０５の開口部４４０５Ａの光束入射側および光束射出側が閉塞されることで、枠状部材４４０５内部に冷却流体を封入可能とする第１冷却室Ｒ１（図４）が形成される。
第１冷却室Ｒ１は、液晶パネル４４１の画像形成領域に対向したものであり、入射側偏光板４４２および液晶パネル４４１により形成されたものであるため、これらの熱が第１冷却室Ｒ１内の冷却流体に熱伝達可能となっている。
【００４３】
枠状部材４４０６は、光束入射側端面で第３弾性部材４４０７Ｃを介して液晶パネル４４１を保持するとともに、光束射出側端面で第４弾性部材４４０７Ｄを介して射出側偏光板４４３を保持するものである。
この枠状部材４４０６は、上述した枠状部材４４０５と略同様に、略中央部分に液晶パネル４４１の画像形成領域に対応した矩形状の開口部４４０６Ａを有する平面視略矩形状のアルミニウム製の枠体である。
この枠状部材４４０６において、光束射出側端面には、第４弾性部材４４０７Ｄの形状に対応して矩形枠状の凹部４４０６Ｂが形成され、この凹部４４０６Ｂにて第４弾性部材４４０７Ｄを介して射出側偏光板４４３を支持する。そして、枠状部材４４０６が射出側偏光板４４３の光束入射側端面を支持することで、射出側偏光板４４３の光束入射側端面にて、開口部４４０６Ａにおける光束射出側が閉塞される。
さらに、枠状部材４４０６の凹部４４０６Ｂの内側には、凹部４４０６Ｂよりも深い凹部４４０６Ｅが形成されている。この凹部４４０６Ｅに連通するように、枠状部材４４０６には、上方に突出した筒状部４４０６Ｉが形成されている。
また、この筒状部４４０６Ｉに連通するように枠状部材４４０６の光束入射側端面には、枠状部材４４０５側に突出した筒状部４４０６Ｄが形成されている。
筒状部４４０６Ｄは、この筒状部４４０６Ｉに対して略直交するように配置され、連通接続している。
なお、光束入射側端面には、第３弾性部材４４０７Ｃに対応した形状の凹部４４０６Ｆが形成されており、この凹部４４０６Ｆに第３弾性部材４４０７Ｃを嵌め込み、さらに、枠状部材４４０５により液晶パネル４４１を押圧することで、枠状部材４４０６の開口部４４０６Ａが閉鎖される。
すなわち、枠状部材４４０６では、光束入射側端面に液晶パネル４４１を押圧するとともに、光束射出側端面に射出側偏光板４４３を押圧することで、開口部４４０６Ａが閉鎖され、枠状部材４４０６内部に冷却流体が封入される第２冷却室Ｒ２（図４）が形成される。
第２冷却室Ｒ２は、液晶パネル４４１の画像形成領域に対向したものであり、射出側偏光板４４３および液晶パネル４４１により形成されたものであるため、これらの熱は第２冷却室Ｒ２内の冷却流体に熱伝達可能となっている。
【００４４】
さらに、このような枠状部材４４０６には、枠状部材４４０５の筒状部４４０５Ｃを送入するための孔４４０６Ｃが形成されている。この孔４４０６Ｃは、第２冷却室Ｒ２に連通するように形成されている。
以上のような枠状部材４４０５，４４０６には、それぞれねじ孔が形成されており、このねじ孔にねじを螺合することで、枠状部材４４０５，４４０６が組み合わされる。
枠状部材４４０６と枠状部材４４０５とを組み合わせた状態では、枠状部材４４０６における筒状部４４０６Ｄが、中間枠体４４０９の後述する挿通孔４４０９Ｄ、第２弾性部材４４０７Ｂの挿通孔４４０７Ｂ１を介して、枠状部材４４０５における挿通孔４４０５Ｄに挿通される。
また、枠状部材４４０６と枠状部材４４０５とを組み合わせた状態では、枠状部材４４０５の筒状部４４０５Ｃが中間枠体４４０９の挿通孔４４０９Ｄ、第３弾性部材４４０７Ｃの挿通孔４４０７Ｃ１を介して枠状部材４４０６の孔４４０６Ｃに挿入される。
【００４５】
中間枠体４４０９は、アルミニウム製の平面視略矩形状の板体から構成され、液晶パネル４４１を保持するとともに、該液晶パネル４４１を枠状部材４４０５，４４０６の所定位置に位置決めするものである。
この中間枠体４４０９において、その略中央部分には、液晶パネル４４１の対向基板４４１Ｄを嵌合可能な矩形状の開口部４４０９Ａが形成され、液晶パネル４４１の対向基板４４１Ｄを開口部４４０９Ａに嵌合させることで、中間枠体４４０９に対して液晶パネル４４１が位置決めされる。
また、この中間枠体４４０９において、下方側端部の左右方向略中央部分、および上方側端部の光束射出側から見て左側角隅部分には、枠状部材４４０６の筒状部４４０６Ｄ、枠状部材４４０５の筒状部４４０５Ｃをそれぞれ挿通可能とする２つの挿通孔４４０９Ｄが形成されている。これら挿通孔４４０９Ｄは、枠状部材４４０５，４４０６に対する中間枠体４４０９の位置決め用の孔としての機能を有し、予め、中間枠体４４０９に対して液晶パネル４４１を位置決め固定した状態で、中間枠体４４０９の２つの挿通孔４４０９Ｄに枠状部材４４０６の筒状部４４０６Ｄ、枠状部材４４０５の筒状部４４０５Ｃをそれぞれ挿通することで、枠状部材４４０６，４４０５に対して中間枠体４４０９が位置決めされ、すなわち、液晶パネル４４１が枠状部材４４０６，４４０５の所定位置に位置決めされる。
【００４６】
〔中継タンクの構造〕
図５は、中継タンク５の構造を示す断面図である。なお、図５では、プロジェクタ１が通常の姿勢状態（プロジェクタ１の底面が机等の接地面に接地された状態）に設置した場合での断面図である。
一対の中継タンク５は、図２または図５に示すように、クロスダイクロイックプリズム４４４の光束入射側端面と交差する上下端面にそれぞれ対向配置されている。ここで、クロスダイクロイックプリズム４４４の上面に配置される中継タンク５を中継タンク５１、クロスダイクロイックプリズム４４４の下面に配置される中継タンク５を中継タンク５２とする。
送入側蓄積部としての中継タンク５１は、図５に示すように、冷却流体を一時的に蓄積するタンク本体５１１と、タンク本体５１１をクロスダイクロイックプリズム４４４に固定する固定部材５１２と、タンク本体５１１内部に冷却流体を流入させる冷却流体流入部としての流通パイプ５１３と、タンク本体５１１内部の冷却流体を外部に排出させる冷却流体排出部としての流通パイプ５１４とを備える。
【００４７】
固定部材５１２は、中空の略直方体形状であり、断面略コ字形状の本体部５１２Ａと、本体部５１２Ａの開口を閉塞する蓋部５１２Ｂとを備える。そして、固定部材５１２は、内部の所定位置にタンク本体５１１を固定するとともに、中継タンク５１全体をクロスダイクロイックプリズム４４４の上面に固定する。
タンク本体５１１は、略直方体状のアルミニウム製の中空部材で構成され、流通パイプ５１３を介して内部に流入した冷却流体を一時的に蓄積する。
このタンク本体５１１において、その内部には、図５に示すように、冷却流体を一時的に蓄積した状態で、鉛直方向（図５中、上下方向）上側に、冷却流体に含まれる気泡やゴミ等を蓄積する気泡蓄積部５１１Ａが形成される。
また、このタンク本体５１１において、その内部には、図５に示すように、タンク本体５１１内部を冷却流体が流通パイプ５１３から流通パイプ５１４に流通可能に冷却流体の流入側および排出側の各空間Ａ１，Ａ２に区画する仕切板５１１Ｂが設けられている。
この仕切板５１１Ｂは、図５に示すように、タンク本体５１１における鉛直方向と略直交する水平軸（図５中、左右方向）に略直交するように延出し、タンク本体５１１内部の底面から鉛直方向上側に向けて立設している。なお、図示は省略するが、仕切板５１１Ｂにおける鉛直方向上端縁と交差する両側端部もタンク本体５１１内部に接続されている。
【００４８】
流通パイプ５１３，５１４は、図５に示すように、固定部材５１２およびタンク本体５１１における鉛直方向と略直交する水平軸と交差する互いに対向する端面をそれぞれ貫通するように設けられ、タンク本体５１１の内部、および固定部材５１２の外部に突出するように形成されている。また、これら流通パイプ５１３，５１４は、各筒状軸が鉛直方向に直交する所定の軸線上に一致するように、すなわち、同軸上に配置されている。ここで、上述した仕切板５１１Ｂは、図５に示すように、その鉛直方向上端縁が流通パイプ５１３におけるタンク本体５１１内部に突出した先端部分の冷却流体を導出する導出側開口５１３Ａの鉛直方向上端縁、および流通パイプ５１４におけるタンク本体５１１内部に突出した先端部分の冷却流体を導入する導入側開口５１４Ａの鉛直方向上端縁よりも鉛直方向上側に位置するように形成されている。
そして、流通パイプ５１３において、固定部材５１２の外部に突出した端部には、図５に示すように、流体循環部材４４８が接続され、該流体循環部材４４８を介して、３つの光変調素子保持体４４０２の各筒状部４４０６Ｉと冷却流体を流通可能に接続している。
また、流通パイプ５１４において、固定部材５１２の外部に突出した端部には、図５に示すように、流体循環部材４４８が接続され、該流体循環部材４４８を介してラジエータ４４７と冷却流体を流通可能に接続している。
【００４９】
送出側蓄積部としての中継タンク５２は、中継タンク５１と同様の構成であり、タンク本体５１１（気泡蓄積部５１１Ａ、仕切板５１１Ｂ、空間Ａ１，Ａ２を含む）、固定部材５１２（本体部５１２Ａおよび蓋部５１２Ｂを含む）、および一対の流通パイプ５１３，５１４と同様の、タンク本体５２１（気泡蓄積部５２１Ａおよび仕切板５２１Ｂを含む）、固定部材５２２（本体部５２２Ａおよび蓋部５２２Ｂを含む）、および一対の流通パイプ５２３，５２４を備える。そして、中継タンク５２は、固定部材５２２により、クロスダイクロイックプリズム４４４の下面に固定される。
ここで、流通パイプ５２３において、固定部材５２２の外部に突出した端部には、図５に示すように、流体循環部材４４８が接続され、該流体循環部材４４８を介して、流体圧送部と冷却流体を流通可能に接続している。
また、流通パイプ５２４において、固定部材５２２の外部に突出した端部には、図５に示すように、流体循環部材４４８が接続され、該流体循環部材４４８を介して３つの光変調素子保持体４４０２の各筒状部４４０５Ｉと冷却流体を流通可能に接続している。
【００５０】
〔冷却流体の循環流路〕
次に、上述した光学装置４４における冷却流体の循環流路について説明する。
なお、以下では、プロジェクタ１が通常の姿勢状態の場合を例に説明する。
メインタンク４４５に蓄積された冷却流体は、流体圧送部が駆動することにより、流体圧送部を介して排出され、図５に示すように、流体循環部材４４８を通り、中継タンク５２の流通パイプ５２３を介してタンク本体５２１内部の空間Ａ１に導入される。空間Ａ１に導入された冷却流体は、図５に示すように、仕切板５２１Ｂにより鉛直方向上側に流路が変更され、仕切板５２１Ｂの鉛直方向上端縁とタンク本体５２１内部の上面との隙間を介して空間Ａ２に導入される。空間Ａ２に導入された冷却流体は、図５に示すように、流通パイプ５２４を介してタンク本体５２１外部に排出される。
【００５１】
中継タンク５２から排出された冷却流体は、流体循環部材４４８により分流されて、各光変調素子保持体４４０２の各筒状部４４０５Ｉを介して各光変調素子保持体４４０２内部に導入される。光変調素子保持体４４０２内部に導入された冷却流体は、図４に示すように、突出部４４０５Ｃ２により、枠状部材４４０５の光束入射側および光束射出側に分流される。そして、枠状部材４４０５の光束入射側に分流された冷却流体は、図４に示すように、第１冷却室Ｒ１内に導入され、入射側偏光板４４２および液晶パネル４４１を冷却して、枠状部材４４０６の筒状部４４０６Ｄおよび筒状部４４０６Ｉを介して外部に排出される。
【００５２】
一方、枠状部材４４０５の光束射出側に分流された冷却流体は、図４に示すように、筒状部４４０５Ｃを介して第２冷却室Ｒ２内に導入される。第２冷却室Ｒ２内の冷却流体は、図４に示すように、液晶パネル４４１および射出側偏光板４４３を冷却した後、枠状部材４４０６の筒状部４４０６Ｉを介して外部に排出される。
筒状部４４０６Ｉから排出された冷却流体は、流体循環部材４４８により合流して、図５に示すように、中継タンク５１の流通パイプ５１３を介してタンク本体５１１内部の空間Ａ１に導入される。空間Ａ１に導入された冷却流体は、図５に示すように、仕切板５１１Ｂにより鉛直方向上側に流路が変更され、仕切板５１１Ｂの鉛直方向上端縁とタンク本体５１１内部の上面との隙間を介して空間Ａ２に導入される。空間Ａ２に導入された冷却流体は、図５に示すように、流通パイプ５１４を介してタンク本体５１１外部に排出される。
【００５３】
中継タンク５１から排出された冷却流体は、流体循環部材４４８を通って、ラジエータ４４７に導入される。そして、液晶パネル４４１、入射側偏光板４４２、および射出側偏光板４４３により温められた熱がラジエータ４４７により放熱される。そして、冷却流体は、ラジエータ４４７を介して、再度、メインタンク４４５に戻る。
すなわち、冷却流体は、メインタンク４４５、流体圧送部、中継タンク５２、各光変調素子保持体４４０２、中継タンク５１、およびラジエータ４４７の順に循環する。
【００５４】
上述した第１実施形態においては、光学装置本体４４０が流体圧送部を備え、流体圧送部により冷却流体が強制的に循環されるので、冷却流体は、光変調素子保持体４４０２の冷却室Ｒ１，Ｒ２内外に常に対流することとなる。このため、従来のように冷却室内に冷却流体を密封させておく場合と比較して、冷却流体が温められにくく、冷却流体と液晶パネル４４１との温度差を良好に維持して液晶パネル４４１を効率的に冷却できる。
ここで、冷却室Ｒ１，Ｒ２は、液晶パネル４４１のみならず、入射側偏光板４４２および射出側偏光板４４３にて閉塞されるので、入射側偏光板４４２および射出側偏光板４４３も効率的に冷却できる。
そして、液晶パネル４４１、入射側偏光板４４２、および射出側偏光板４４３を効率的に冷却できるため、プロジェクタ１の高寿命化が図れる。
【００５５】
また、タンク本体５１１，５２１内部に仕切板５１１Ｂ，５２１Ｂが設けられ、仕切板５１１Ｂ，５２１Ｂの鉛直方向上端縁が流通パイプ５１３，５２３の導出側開口５１３Ａ，５２３Ａの鉛直方向上端縁よりも鉛直方向上側に位置しかつ、仕切板５１１Ｂ，５２１Ｂの鉛直方向下端縁がタンク本体５１１，５２１内部の底面に接続している。このことにより、タンク本体５１１，５２１内部において、流通パイプ５１３，５２３から流通パイプ５１４，５２４に向かう冷却流体の流路を、仕切板５１１Ｂ，５２１Ｂを介して仕切板５１１Ｂ，５２１Ｂの鉛直方向上側に向かう流路に変更することができる。ここで、冷却流体に含まれる気泡等は、浮力により鉛直方向上側に移動する。このため、仕切板５１１Ｂ，５２１Ｂによる冷却流体の流路の変更に伴って、気泡等を仕切板５１１Ｂ，５２１Ｂの鉛直方向上側に移動させることができ、気泡等が流通パイプ５１４，５２４に取り込まれにくい構造を実現でき、気泡等を気泡蓄積部５１１Ａ，５２１Ａに良好に蓄積させることができる。したがって、タンク本体５１１，５２１内部にて冷却流体に含まれる気泡等を捕捉でき、光変調素子保持体４４０２の冷却室Ｒ１，Ｒ２内の光路中に気泡等が侵入してしまうのを防止し、液晶パネル４４１、入射側偏光板４４２、および射出側偏光板４４３にて形成される光学像の画像品質を良好に維持できる。
そして、液晶パネル４４１、入射側偏光板４４２、および射出側偏光板４４３にて形成される光学像の画像品質を良好に維持できるため、プロジェクタ１にて鮮明な投影画像を常に形成できる。
【００５６】
ここで、中継タンク５１，５２がクロスダイクロイックプリズム４４４の上下面にそれぞれ配設されているので、光学装置本体４４０における余スペースに中継タンク５を配設でき、光学装置本体４４０の大型化を抑制できる。
また、中継タンク５１，５２を上述したように配設することで、プロジェクタ１を通常の姿勢状態で設置した場合に、冷却室Ｒ１，Ｒ２内部において、冷却流体を鉛直方向下側から鉛直方向上側に流通させることができる。このため、冷却室Ｒ１，Ｒ２内部において、液晶パネル４４１、入射側偏光板４４２、および射出側偏光板４４３から冷却流体に放熱された熱の移動方向と、冷却流体の流通方向とを同一に設定でき、熱が冷却室Ｒ１，Ｒ２内部において滞留することを防止できる。したがって、冷却流体と液晶パネル４４１、入射側偏光板４４２、および射出側偏光板４４３との温度差を良好に維持でき、液晶パネル４４１、入射側偏光板４４２、および射出側偏光板４４３を効率的に冷却できる。
【００５７】
さらに、各液晶パネル４４１、各入射側偏光板４４２、および各射出側偏光板４４３の発熱量がＲ，Ｇ，Ｂ毎に異なる場合には、各光変調素子保持体４４０２に形成された各冷却室Ｒ１，Ｒ２から排出された温度の異なる冷却流体は、一括して中継タンク５１に導入されることで、温度が均一化される。また、中継タンク５２に蓄積された冷却流体は、分岐されて各光変調素子保持体４４０２に形成された各冷却室Ｒ１，Ｒ２に導入されるので、各液晶パネル４４１、各入射側偏光板４４２、および各射出側偏光板４４３をＲ，Ｇ，Ｂ毎に均一に冷却できる。
さらにまた、光変調素子保持体４４０２と流体圧送部との流路間に、中継タンク５２が配設されているので、冷却流体に含まれる気泡等が流体圧送部内に混入することを回避し、気泡等による流体圧送部の不具合も防止できる。
【００５８】
ところで、仕切板５１１Ｂ，５２１Ｂの鉛直方向上端縁が流通パイプ５１４，５２４の導入側開口５１４Ａ，５２４Ａの鉛直方向上端縁よりも鉛直方向下側に位置している場合には、タンク本体５１１，５２１内部において、仕切板５１１Ｂ，５２１Ｂにより冷却流体の流路を変更した場合であっても、冷却流体に含まれる気泡等が流通パイプ５１４，５２４に取り込まれる虞がある。
本実施形態では、仕切板５１１Ｂ，５２１Ｂにおける鉛直方向上端縁が流通パイプ５１４，５２４の導入側開口５１４Ａ，５２４Ａの鉛直方向上端縁よりも鉛直方向上側に位置しているので、冷却流体に含まれる気泡等が流通パイプ５１４，５２４に取り込まれることをより確実に防止できる。
【００５９】
また、流通パイプ５１３，５１４および流通パイプ５２３，５２４は、タンク本体５１１，５２１における鉛直方向と直交する水平軸と交差する互いに対向する端面にそれぞれ配置されているので、仕切板５１１Ｂ，５２１Ｂを簡単な形状で構成でき、仕切板５１１Ｂ，５２１Ｂによりタンク本体５１１，５２１内部を冷却流体の流入側および排出側の２つの空間Ａ１，Ａ２に良好に区画できる。
【００６０】
[第２実施形態]
次に、本発明の第２実施形態を図面に基づいて説明する。
なお、以下の説明では、既に説明した部分と同一の部分については、同一符号を付してその説明を省略する。
本実施形態は、一対の中継タンクにおいて、前記第１実施形態に対して、各仕切板におけるタンク本体５１１，５２１から立設した基端部分に空間Ａ１，Ａ２間を連通する連通孔をそれぞれ形成した点が異なるのみである。その他の構成は、前記第１実施形態と同様のものである。
【００６１】
図６は、第２実施形態における仕切板６１１Ｂの形状を示す図である。具体的に、図６は、プロジェクタ１を通常の姿勢状態に設置した場合で、流通パイプ５１３，５１４の筒状軸方向から仕切板６１１Ｂを見た図である。なお、本実施形態では、一対の中継タンク６の構成は略同様であるため、図６では、前記第１実施形態で説明した中継タンク５１に対応する中継タンク６１のみを図示し、他の中継タンクについては、図示および説明を省略する。また、図６では、中継タンク６１において、固定部材５１２についても図示を省略している。
中継タンク６１を構成するタンク本体５１１内部に設けられた仕切板６１１Ｂには、図６に示すように、仕切板６１１Ｂの鉛直方向下側とタンク本体５１１との接続部分に連通孔６１１Ｃが形成されている。
連通孔６１１Ｃは、図６に示すように、仕切板６１１Ｂにおける左右略中央部分に位置し、平面視略半円状に形成されている。
なお、本実施形態における冷却流体の循環流路は、前記第１実施形態で説明した冷却流体の循環流路と同様であるため、説明を省略する。
【００６２】
上述した第２実施形態では、前記第１実施形態と同様の効果の他、以下の効果がある。
図７および図８は、第２実施形態の効果を説明するための図である。具体的に、図７および図８は、プロジェクタ１を天吊りの姿勢状態（プロジェクタ１の底面が天井等の接地面に接地した状態）に設置した場合での中継タンク５１（図７）、中継タンク６１（図８）を示す断面図である。なお、上述したように、一対の中継タンク５，６は同様の構成であるため、図７および図８では、図６と同様に、中継タンク５１および中継タンク６１のみを図示し、他の中継タンクについては図示および説明を省略する。
図７に示すように、プロジェクタ１を天吊りの姿勢状態に設置すると、仕切板５１１Ｂの鉛直方向上端縁がタンク本体５１１内部に接続していることとなる。このように仕切板５１１Ｂの鉛直方向上端縁がタンク本体５１１内部に接続している場合には、タンク本体５１１内部の鉛直方向上側に形成される気泡蓄積部５１１Ａが仕切板５１１Ｂにより各領域Ｂ１，Ｂ２に区画されることとなる。このため、各領域Ｂ１，Ｂ２のうち流通パイプ５１３側の領域Ｂ１にのみ気泡等が蓄積されてしまう。すなわち、気泡蓄積部５１１Ａにおける気泡等を蓄積可能とする空間の体積が縮小されてしまうため、気泡等が蓄積され続けた場合に、仕切板５１１Ｂの鉛直方向下端縁から領域Ｂ２に向けて気泡等が流出し、該流出した際に気泡等が流通パイプ５１４に取り込まれる虞がある。
本実施形態では、仕切板６１１Ｂには連通孔６１１Ｃが形成されているので、図８に示すように、プロジェクタ１を天吊りの姿勢状態に設置した場合であっても、連通孔６１１Ｃを介して気泡蓄積部５１１Ａの各領域Ｂ１，Ｂ２間を蓄積された気泡等が連通可能となり、気泡蓄積部５１１Ａにおける気泡等を蓄積可能とする空間の体積を縮小することがない。したがって、気泡蓄積部５１１Ａにて気泡等を良好に蓄積させることができる。
【００６３】
[第３実施形態]
次に、本発明の第３実施形態を図面に基づいて説明する。
なお、以下の説明では、既に説明した部分と同一の部分については、同一符号を付してその説明を省略する。
本実施形態は、一対の中継タンクにおいて、前記第１実施形態に対して、仕切板を２つでそれぞれ構成した点が異なるのみである。その他の構成は、前記第１実施形態と同様のものである。
【００６４】
図９は、第３実施形態における中継タンク７１の構造を示す断面図である。具体的に、図９は、図５と同様に、プロジェクタ１を通常の姿勢状態に設置した場合で、流通パイプ５１３，５１４の各筒状軸と略直交する方向から中継タンク７１を見た断面図である。なお、本実施形態では、一対の中継タンク７の構成は、略同様であるため、図９では、前記第１実施形態で説明した中継タンク５１に対応する中継タンク７１のみを図示し、他の中継タンクについては、図示および説明を省略する。
中継タンク７１を構成するタンク本体５１１内部に設けられた仕切板は、図９に示すように、第１仕切板７１１Ｂ１および第２仕切板７１１Ｂ２で構成される。そして、タンク本体５１１内部は、図９に示すように、第１仕切板７１１Ｂ１および第２仕切板７１１Ｂ２により、３つの空間Ａ３，Ａ４，Ａ５に区画される。
第１仕切板７１１Ｂ１は、図９に示すように、タンク本体５１１における鉛直方向と略直交する水平軸（図９中、左右方向）に略直交するように延出し、タンク本体５１１内部の底面から鉛直方向上側に向けて立設している。なお、図示は省略するが、第１仕切板７１１Ｂ１における鉛直方向上端縁と交差する両側端部もタンク本体５１１内部に接続されている。そして、第１仕切板７１１Ｂ１は、図９に示すように、その鉛直方向上端縁が流通パイプ５１３におけるタンク本体５１１内部に突出した先端部分の導出側開口５１３Ａの鉛直方向上端縁よりも鉛直方向上側に位置するように形成されている。
第２仕切板７１１Ｂ２は、図９に示すように、第１仕切板７１１Ｂ１と略平行するように延出し、タンク本体５１１内部の上面から鉛直方向下側に向けて立設している。なお、図示は省略するが、第２仕切板７１１Ｂ２における鉛直方向下端縁と交差する両側端部もタンク本体５１１内部に接続されている。そして、第２仕切板７１１Ｂ２は、図９に示すように、その鉛直方向下端縁が流通パイプ５１４におけるタンク本体５１１内部に突出した先端部分の導入側開口５１４Ａの鉛直方向下端縁よりも鉛直方向下側に位置するように形成されている。
なお、本実施形態における冷却流体の循環流路は、前記第１実施形態で説明した冷却流体の循環流路と同様であるため、説明を省略する。
【００６５】
上述した第３実施形態では、前記第１実施形態と同様の効果の他、以下の効果がある。
タンク本体５１１内部において、仕切板を第１仕切板７１１Ｂ１および第２仕切板７１１Ｂ２の２つで構成しているので、図９に示すように、流通パイプ５１３から流通パイプ５１４に向かう冷却流体の流路を第１仕切板７１１Ｂ１および第２仕切板７１１Ｂ２により鉛直方向に蛇行した流路に変更することができる。このような鉛直方向に蛇行した流路で冷却流体を流通させることで、冷却流体に含まれる気泡等を流路中で鉛直方向上側により確実に移動させることができる。このため、気泡等が流通パイプ５１４に取り込まれることをより確実に防止できる。
【００６６】
[第４実施形態]
次に、本発明の第４実施形態を図面に基づいて説明する。
なお、以下の説明では、既に説明した部分と同一の部分については、同一符号を付してその説明を省略する。
前記第１実施形態では、中継タンク５１，５２を構成するタンク本体５１１，５２１は、固定部材５１２，５２２にそれぞれ固定されている。
これに対して第４実施形態では、一対の中継タンク５１を構成する各タンク本体は、一対の流通パイプにそれぞれ回転可能に軸支されている。一対の中継タンク以外の構成は、前記第１実施形態と同様のものである。
【００６７】
図１０は、第４実施形態における中継タンク８１の構造を示す断面図である。具体的に、図１０は、図５および図９と同様に、流通パイプ８１３，８１４の各筒状軸と略直交する方向から中継タンク８１を見た断面図である。なお、本実施形態では、一対の中継タンク８の構成は、略同様であるため、図１０では、前記第１実施形態で説明した中継タンク５１に対応する中継タンク８１のみを図示し、他の中継タンクについては図示および説明を省略する。
中継タンク８１は、図１０に示すように、前記第１実施形態で説明したタンク本体５１１（気泡蓄積部５１１Ａおよび仕切板５１１Ｂを含む）、固定部材５１２（本体部５１２Ａおよび蓋部５１２Ｂを含む）、および一対の流通パイプ５１３，５１４（導出側開口５１３Ａおよび導入側開口５１４Ａを含む）と略同様のタンク本体８１１、固定部材８１２、および一対の流通パイプ８１３，８１４の他、一対の回動部材８１５を備える。
タンク本体８１１の側端面には、図１０に示すように、一対の流通パイプ８１３，８１４を貫通させるとともに、一対の回動部材８１５を構成する後述する接続部材を設置するための一対の開口部８１１Ｄが同軸上に形成されている。
同様に、固定部材８１２を構成する本体部５１２Ａの側端面には、図１０に示すように、一対の流通パイプ８１３，８１４を貫通させるとともに、一対の回動部材８１５を構成する後述するボールベアリングを設置するための一対の開口部８１２Ａ１が形成されている。
一対の流通パイプ８１３，８１４の外周面には、図１０に示すように、一対の回動部材８１５を構成するＯリングを設置するための凹部８１３Ｂ，８１４Ｂが形成されている。
【００６８】
一対の回動部材８１５は、固定部材８１２および一対の流通パイプ８１３，８１４とタンク本体８１１との間に配設され、固定部材８１２および一対の流通パイプ８１３，８１４に対してタンク本体８１１を回動可能とする部材である。この回動部材８１５は、図１０に示すように、ボールベアリング８１５１と、接続部材８１５２と、Ｏリング８１５３とを備える。
ボールベアリング８１５１は、略筒状に構成され、相互に回転自在に構成される外輪部８１５１Ａおよび内輪部８１５１Ｂを備える。そして、外輪部８１５１Ａは、図１０に示すように、固定部材８１２の開口部８１２Ａ１の内周面に固定されている。
接続部材８１５２は、流通パイプ８１３，８１４を内部に挿通可能とする筒状部材で構成され、その外周面にて内輪部８１５１Ｂの内周面、およびタンク本体８１１の開口部８１１Ｄの内周面を接続する。
Ｏリング８１５３は、弾性部材で構成され、凹部８１３Ｂ，８１４Ｂに設置される。そして、Ｏリング８１５３は、中継タンク８１を組み立てた状態で、流通パイプ８１３，８１４と接続部材８１５２との隙間を閉塞し、タンク本体８１１内部の冷却流体が外部に漏れることを防止する。
【００６９】
以上のような中継タンク８１の構成において、タンク本体８１１の重心位置は、流通パイプ８１３，８１４の軸線上に対してずれた位置に形成されている。
そして、プロジェクタ１を通常の姿勢状態に設置した状態から天吊りの姿勢状態に設置した場合には、ボールベアリング８１５１の外輪部８１５１Ａに対して内輪部８１５１Ｂが回転し、接続部材８１５２の内周面がＯリング８１５３の外周面上を摺動してタンク本体８１１が前記軸線を回転軸として回転する。すなわち、タンク本体８１１は、その重心位置が常に前記軸線よりも鉛直方向下側に位置するように、固定部材８１２および一対の流通パイプ８１３，８１４に対して回転する。
【００７０】
なお、本実施形態における冷却流体の循環流路は、前記第１実施形態で説明した冷却流体の循環流路と同様であるため、説明を省略する。
上述した第４実施形態においては、前記第１実施形態と同様の効果の他、以下の効果がある。
ところで、前記第１実施形態で説明したようにタンク本体５１１，５２１が固定部材５１２，５２２に固定されている場合には、気泡蓄積部５１１Ａ，５２１Ａは、タンク本体５１１，５２１内部の鉛直方向上側に常に形成されることとなるため、タンク本体５１１，５２１内部において、プロジェクタ１を通常の姿勢状態に設置した状態と天吊りの姿勢状態に設置した状態とで気泡蓄積部５１１Ａ，５２１Ａの位置が異なることとなる。このため、例えば、プロジェクタ１を通常の姿勢状態に設置した状態から天吊りの姿勢状態に設置した状態に移行すると、気泡蓄積部５１１Ａ，５２１Ａの位置が移動し、気泡蓄積部５１１Ａ，５２１Ａの位置の移動とともに蓄積された気泡等も移動することとなる。このようにプロジェクタ１の姿勢状態を変更した場合には、気泡等の移動の際に該気泡等が流通パイプ５１４，５２４に取り込まれる虞がある。
本実施形態では、プロジェクタ１を通常の姿勢状態に設置した状態と天吊りの姿勢状態に設置した状態とを移行させた場合であっても、該移行に連動してタンク本体８１１が回動部材８１５を介して流通パイプ８１３，８１４に対して回転することで、タンク本体８１１内部において、気泡蓄積部５１１Ａの位置は移動しない。このため、プロジェクタ１を通常の姿勢状態に設置した状態と天吊りの姿勢状態に設置した状態とを移行しても、気泡等が常に同一の気泡蓄積部５１１Ａに蓄積された状態となる。したがって、プロジェクタ１を通常の姿勢状態に設置した状態と天吊りの姿勢状態に設置した状態とを移行させた際でも、気泡等が移動することがなく該気泡等が流通パイプ８１４に取り込まれることがない。
また、プロジェクタ１の姿勢状態に応じてタンク本体８１１が回転するので、プロジェクタ１の姿勢状態を変更した場合であっても、気泡蓄積部５１１Ａと仕切板５１１Ｂの位置関係が変わらないこととなる。このため、前記第２実施形態で説明した連通孔６１１Ｃを仕切板５１１Ｂに形成する必要がなく、仕切板５１１Ｂの形状を簡素化できる。
【００７１】
なお、本発明は前述の実施形態に限定されるものではなく、本発明の目的を達成できる範囲での変形、改良等は本発明に含まれるものである。
前記各実施形態において、仕切板５１１Ｂ，５２１Ｂ，６１１Ｂ，７１１Ｂ１，７１１Ｂ２としては、鉛直方向上端縁が流通パイプ５１３，５２３の導出側開口５１３Ａ，５２３Ａの鉛直方向上端縁よりも鉛直方向上側に位置しかつ、鉛直方向下端縁が流通パイプ５１３，５２３，８１３の導出側開口５１３Ａ，５２３Ａの鉛直方向下端縁よりも鉛直方向下側に位置していれば、いずれの形状でもよく、例えば、以下の構成を採用できる。
例えば、仕切板において、鉛直方向上端縁および下端縁と交差する両側端縁のみがタンク本体５１１，５２１，８１１内部に接続する。そして、仕切板における鉛直方向上端縁および下端縁の双方の端縁とタンク本体５１１，５２１，８１１内部との間に隙間が形成され、該隙間を介して冷却流体が流通パイプ５１３，５２３，８１３から流通パイプ５１４，５２４，８１４に流通する。このように構成すれば、プロジェクタ１を通常の姿勢状態に設置した場合、および天吊りの姿勢状態に設置した場合の双方において、仕切板の鉛直方向上端縁とタンク本体５１１，５２１，８１１との間に隙間が形成される構成を実現できる。このため、プロジェクタ１を通常の姿勢状態に設置した場合、および天吊りの姿勢状態に設置した場合の双方において、気泡等が流通パイプ５１４，５２４，８１４に取り込まれにくい構造を実現できる。
【００７２】
前記第１実施形態ないし前記第３実施形態では、一対の流通パイプ５１３，５１４および一対の流通パイプ５２３，５２４は、タンク本体５１１，５２１における鉛直方向と交差する互いに対向する端面に各筒状軸が同軸上に位置するようにそれぞれ配置されていたが、これに限らない。例えば、一対の流通パイプ５１３，５１４および一対の流通パイプ５２３，５２４を、タンク本体５１１，５２１における同一の端面に配置したり、互いに対向しない端面にそれぞれ配置する構成を採用してもよい。また、例えば、一対の流通パイプ５１３，５１４および一対の流通パイプ５２３，５２４を、タンク本体５１１，５２１における互いに対向する端面に各筒状軸が異なる軸線上に位置するようにそれぞれ配置する構成を採用してもよい。
【００７３】
前記各実施形態では、仕切板５１１Ｂ，５２１Ｂ，６１１Ｂ，７１１Ｂ１，７１１Ｂ２は、鉛直方向と直交する水平軸に略直交するように延出していたが、これに限らず、水平軸と交差するように延出していればよい。すなわち、仕切板の板面が水平軸に対して傾斜するように構成しても構わない。
前記各実施形態では、流通パイプ５１３，５１４，５２３，５２４，８１３，８１４がタンク本体５１１，５２１，８１１内部に突出した形状を有していたが、これに限らず、タンク本体５１１，５２１，８１１内部に突出していない形状を採用してもよい。
前記第２実施形態において、連通孔６１１Ｃの形状は前記第２実施形態で説明した形状に限らず、その他の形状を採用してもよい。
前記第２実施形態では、連通孔６１１Ｃは、仕切板６１１Ｂに形成されていたが、これに限らず、仕切板６１１Ｂの鉛直方向下側とタンク本体５１１内部との接続部分であれば、タンク本体５１１内部に形成しても構わない。
前記第３実施形態では、仕切板を２つで構成していたが、これに限らず、３つ以上で構成しても構わない。このように仕切板を３つ以上で構成した場合には、隣接する各仕切板のうち一方の仕切板の鉛直方向下端縁がタンク本体５１１内部に接続し、隣接する各仕切板のうち他方の仕切板の鉛直方向上端縁がタンク本体５１１内部に接続していればよい。
前記第３実施形態において、仕切板７１１Ｂ１，７１１Ｂ２に前記第２実施形態で説明したような連通孔６１１Ｃを形成した構成を採用してもよい。
前記第４実施形態において、回動部材８１５の構成は前記第４実施形態で説明した構成に限らず、その他の構成を採用してもよい。
前記第４実施形態において、タンク本体８１１内部の仕切板５１１Ｂを、前記第３実施形態と同様に複数で構成しても構わない。
【００７４】
前記各実施形態において、光変調素子保持体４４０２の構成は、前記各実施形態で説明した構成に限らない。すなわち、光変調素子保持体は、内部に冷却流体が封入される冷却室が形成され、光変調素子としての液晶パネル４４１を冷却流体に熱伝達可能に保持する構成であれば、いずれの構成を採用してもよい。例えば、前記各実施形態では、光変調素子保持体４４０２は、２つの冷却室Ｒ１，Ｒ２を有していたが、１つのみの冷却室を有する構成としても構わない。
【００７５】
前記各実施形態において、冷却流体蓄積部としての中継タンク５，６，７，８は、クロスダイクロイックプリズム４４４の上下面に配設されていたが、これに限らず、その他の位置に配設しても構わない。例えば、メインタンク４４５を本発明に係る冷却流体蓄積部として構成してもよい。
前記各実施形態では、光学装置４４において、メインタンク４４５およびラジエータ４４７を備えた構成を説明したが、これに限らず、これらメインタンク４４５およびラジエータ４４７のうち少なくともいずれかを省略した構成を採用してもよい。
前記各実施形態では、光学ユニット４が平面視略Ｌ字形状を有した構成を説明したが、これに限らず、例えば、平面視略Ｕ字形状を有した構成を採用してもよい。
【００７６】
前記各実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
前記各実施形態では、光入射面と光射出面とが異なる透過型の液晶パネルを用いていたが、光入射面と光射出面とが同一となる反射型の液晶パネルを用いてもよい。
前記各実施形態では、光変調素子として液晶パネルを用いていたが、マイクロミラーを用いたデバイスなど、液晶以外の光変調素子を用いてもよい。この場合は、光束入射側および光束射出側の偏光板は省略できる。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【００７７】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００７８】
本発明の光学装置は、光変調素子を効率的に冷却できかつ、画像品質を良好に維持できるため、プレゼンテーションやホームシアターに用いられるプロジェクタの光学装置として有用である。
【図面の簡単な説明】
【００７９】
【図１】第１実施形態におけるプロジェクタの概略構成を模式的に示す図。
【図２】前記実施形態における光学装置本体の概略構成を示す斜視図。
【図３】前記実施形態における光変調素子保持体の概略構成を示す分解斜視図。
【図４】前記実施形態における光変調素子保持体の断面図。
【図５】前記実施形態における中継タンクの構造を示す断面図。
【図６】第２実施形態における仕切板の形状を示す図。
【図７】前記実施形態における効果を説明するための図。
【図８】前記実施形態における効果を説明するための図。
【図９】第３実施形態における中継タンクの構造を示す断面図。
【図１０】第４実施形態における中継タンクの構造を示す断面図。
【符号の説明】
【００８０】
１・・・プロジェクタ、５，６，７，８・・・中継タンク（冷却流体蓄積部）、４４・・・光学装置、５１，６１，７１，８１・・・中継タンク（送入側蓄積部）、５２・・・中継タンク（送出側蓄積部）、４１１・・・光源装置、４４１・・・液晶パネル（光変調素子）、４４４・・・クロスダイクロイックプリズム（色合成光学装置）、４４８・・・流体循環部材、５１１Ａ，５２１Ａ・・・気泡蓄積部、５１１Ｂ，５２１Ｂ，６１１Ｂ，７１１Ｂ１，７１１Ｂ２・・・仕切板、５１３，５２３，８１３・・・流通パイプ（冷却流体流入部）、５１３Ａ，５２３Ａ・・・導出側開口、５１４，５２３，８１４・・・流通パイプ（冷却流体排出部）、５１４Ａ，５２４Ａ・・・導入側開口、４４０２・・・光変調素子保持体、Ｌ・・・投射レンズ、Ａ１，Ａ２，Ａ３，Ａ４，Ａ５・・・空間、Ｒ１，Ｒ２・・・冷却室。
【図１】
2006330642.tif 000003
【図２】
2006330642.tif 000004
【図３】
2006330642.tif 000005
【図４】
2006330642.tif 000006
【図５】
2006330642.tif 000007
【図６】
2006330642.tif 000008
【図７】
2006330642.tif 000009
【図８】
2006330642.tif 000010
【図９】
2006330642.tif 000011
【図１０】
2006330642.tif 000012